(57)【特許請求の範囲】
【請求項１】
型材を用意する工程、
前記型材の回転軸を決める工程、
次いで、前記回転軸の両端にそれぞれ支持材を取り付けて、前記型材を回転自在に支持する工程、
次いで、熟蚕期の蚕を前記型材に這わせ、前記型材の表面に繭糸を吐かせる工程、
次いで、前記型材の表面に対する前記蚕の移動に伴う重心の位置変化により前記型材を自発的に回転させる工程、
を含む造形物の製造方法。
【発明の詳細な説明】
【技術分野】
【０００１】
本発明は、繭糸を用いた造形物の製造方法に関する。
【背景技術】
【０００２】
従来、蚕の吐出する繭糸を造形物として生産する方法は、特許文献１に記載のように知られていた。
【先行技術文献】
【特許文献】
【０００３】
【特許文献１】特開平１−１８３５０９号公報
【発明の概要】
【発明が解決しようとする課題】
【０００４】
しかしながら、特許文献１などの従来の造形物の製造方法は、平板上に熟蚕期の蚕を這わせて、繭糸繊維積層体を作り、それを造形物に張り付けるものであり、繋ぎ目が目立つものであった。
本発明は、つなぎ目や縫い目のないシームレスな繭糸層を有する造形物の製造方法の提供を課題とする。
【課題を解決するための手段】
【０００５】
本発明は、型材を用意する工程、前記型材の回転軸を決める工程、次いで、前記回転軸の両端にそれぞれ支持材を取り付けて、前記型材を回転自在に支持する工程、次いで、熟蚕期の蚕を前記型材に這わせ、前記型材の表面に繭糸を吐かせる工程、次いで、前記型材の表面に対する前記蚕の移動に伴う重心の位置変化により前記型材を自発的に回転させる工程を含む造形物の製造方法とすることで課題を解決した。
【図面の簡単な説明】
【０００６】
【図１】繭糸の断面図
【図２】実施例の説明図（Ａ）型材を回転自在に支持する工程の説明図（Ｂ）図２（Ａ）の枠内の拡大図
【図３】造形物から型材を取り出す説明図
【発明を実施するための形態】
【０００７】
[図面]
図２と図３は、共に実施例を説明する図である。実際には型材２、足場材２３、繭糸層９４は互いに密着しているが、説明のためこれらの層が離れているように描いている。また、説明のために意図的に、部材を大きく描いていることもあるし、部材を小さく描いていることもあり、正確な縮尺で描かれたものではない。
【０００８】
[繭糸]
図１は、繭糸９の断面図である。繭糸９は、熟蚕期の蚕４が吐出する繊維であって、中心にフィブロイン繊維９３が２本通っており、周囲を、接着性を有するセリシン９１で囲まれている。蚕４は、頭を８の字に動かしながら繭糸９を吐出するので、緩い巻きができ、弾力性が生まれる。吐出直後の繭糸９は液状であり、すぐに乾燥し繊維になる。生糸や絹糸は繭糸９とは異なる。フィブロイン繊維９３は、セリシン９１が熱水中で接着性が緩むという性質を利用して、熱水に漬けた繭から取り出される。生糸は、フィブロイン繊維９３を数本の引き揃え繰糸したものである。絹糸は、生糸を複数本より合わせてさらに太くしたものである。繭糸９は、生糸と絹糸とは異なり熟蚕期の蚕４が吐出した繊維そのものをいう。
【０００９】
（実施例）
（１）型材を用意する工程
図２は、実施例の説明図である。
型材２は、どのような立体形状のものでも使用可能であるが、説明を簡単にするため、実施例では、直径１ｍの風船を用いる。詳しくは後述するが、図３のように、風船の空気を抜くことで、繭糸層９４で覆われた造形物１から簡単に型材２を取り出すことが可能となる。風船はバルーンアートのように様々な立体形状を作ることができ、便利である。
また、型材２を取り出して完成した造形物１とする場合は、繭糸層９４の厚さが均等かどうかを判断するのに便利なため、透明であることが好ましい。
型材２を取り出さずに完成した造形物１とする場合には、型材２に絵などを描いたものとしてもよい。
【００１０】
[前処理工程]
型材２の表面の摩擦係数が小さい場合、蚕４が落下するおそれがあるため、型材２に蚕４が滑らないようにする足場材２３で型材２の表面を覆う。足場材２３として、寒冷紗やネットなどが好ましいが、足場になり得るものであればどのような素材でもよい。
【００１１】
（２）回転軸を決める工程
[重心]
本発明では、回転軸２１をどこに置くかは、任意である。均一な繭糸層９４の厚さを形成させるためには回転軸２１が重心２２を通るように決めることが好ましく、実施例では重心２２を通るように回転軸２１を決めている。意図的に、繭糸層９４の厚さを領域によって変えたい場合などでは、あえて回転軸２１が重心２２を通らないようにしてもよい。
重心２２の求め方は簡単である。型材２の表面の一点に糸を固定し吊るすと、その糸の延長線上に必ず重心２２が通るという原理を利用し重心２２を求める。この作業を型材２の複数点で行い、その交点が重心２２となる。最低２点でこの作業を行えば、重心２２を求めることができるが、誤差を少なくするため、３つ以上の点で重心２２を決めることが好ましい。この作業により、型材２がどのような形状をしていても、重心２２の位置を特定できる。なお、その他にも重心２２の求め方は様々存在し、上記方法に限られるものではない。実施例では、球状の風船を型材２として用いるため、重心２２は球の中心点にあることが自明である。
【００１２】
[回転軸の取り付け]
回転軸２１の取り付け方は任意であるが、型材２が発泡スチロールのような素材である場合、棒状の回転軸２１を型材２に通すことで簡単に回転軸２１を取り付けることができる。実施例では、風船を型材２として使うため、棒状の回転軸２１を風船（型材２）に挿通することができない。そこで、図２（Ａ）の第１回転軸２１２の両端に、支持材３を取り付けるための取付具２１１を設置することで回転軸２１とした。図２（Ｂ）は、図２（Ａ）の枠内の拡大図であり、取付具２１１の構造が図示されている。リング２１１２は、支持材３を取り付けるための部材である。実施例では支持材３として紐を使用している。取付具２１１を介して紐（支持材３）で吊られた型材２は、回転自在に支持されることとなる。
また、取付具２１１は、風船（型材２）に取り付けるための取付板２１１１を有しており、風船（型材２）に接着やテープなど適宜な手段で取り付けられる。実施例では、取付具２１１の付近まで繭糸９で覆われるように、足場材２３で取付板２１１１の表面を覆うようにしている。
図示はしていないが、棒状の回転軸２１を使用した場合は、回転軸２１に直接的に支持材３を取り付けることができる。例えば、回転軸２１をボールベアリングなどの軸受けに挿通し、軸受けを台に固定して支持材３とすることで、吊らなくとも回転軸２１を回転自在に支持することもできる。
【００１３】
（３）型材表面に繭糸を吐かせる工程
第５齢の熟蚕期の蚕４は、体が黄色くなることで見分けることができる。図２（Ａ）に図示されるように、熟蚕期の蚕４は、型材２の表面に配置される。前述したように、回転軸２１は、蚕４を配置する前の型材２の重心２２を通る第１回転軸２１２に設定されている。足場材２３で覆われた型材２の表面に多数の蚕４を配置すると、蚕４の重量で重心２２の位置が変化する。蚕４を配置するに際して、型材２を回転しないように固定し、型材２の上方と下方にバランスよく蚕４を配置する。蚕４の数は、型材２の表面積の大きさや、目的とする繭糸層９４の厚さ、目標とする完成時間などによって、適宜決めることができる。蚕４を配置した後に、型材２の固定を解き、型材２が自由に回転するようにする。
【００１４】
（４）型材を自発的に回転させる工程
蚕４は、上方に這いながら繭糸９を吐く性質があるので、型材２の下方に配置した蚕４は次第に型材２の上方に這い上ってゆく。蚕４の移動に伴い、次第に重心２２も型材２の上方に上がってゆく。実施例の第１回転軸２１２は、球の中心を通るように設定されており、重心２２が第１回転軸２１２より上に上がると、不安定となった型材２は重心２２が下方になるように自発的に反転する。型材２上の蚕４の移動に伴う重心２２の位置の変化により、型材２は自発的な回転を繰り返す。型材２が自発的な回転を繰り返すうちに、型材２の表面が均一な繭糸層９４で覆われて行く。なお、回転に伴い蚕４が落下することがあるが、作業者はその都度、蚕４を拾い、蚕４を再配置するようにしてもよい。また、繭糸層９４の厚さに大きな差が生じる場合がある。そのような場合、作業者は、繭糸層９４の厚い領域に這う蚕４を取り除き、繭糸層９４の薄い領域に蚕４を再配置してもよい。
【００１５】
[回転軸の変更]
小さな型材２の場合、回転軸２１を変更する必要はないが、実施例では直径１ｍの風船を型材２として用いるため、繭糸層９４が不均一に形成されやすい。そこで、均一な繭糸層９４を形成させるために、回転軸２１を第１回転軸２１２から第２回転軸２１３に変更し、型材２を自発的に回転させる工程を繰り返すことで、均一な繭糸層９４が形成される。必要に応じて、回転軸２１の変更を繰り返すこともできる。
【００１６】
[３軸ジンバル]
３軸ジンバルは、ドローンなどに取り付けたカメラを水平に保つためなどに使われている。図示していないが、３軸ジンバルを本発明に適用することも可能である。３軸ジンバルを支持材３として、型材２の回転軸２１に取り付けると、３軸（ＸＹＺ軸）のどの方向に重心がずれても型材２が回転できるようになる。そのため。回転軸２１を変更しなくとも、均一な繭糸層９４を形成させることができる。
【００１７】
以上の工程により、造形物１の表面に目標通りの繭糸層９４が出来上がったとき、支持材３や、回転軸２１として使用した取付具２１１を取り外すことで、継ぎ目や縫い目がない造形物１が完成する。
なお、繭糸層９４の厚さが均一とならず、薄い繭糸層９４の領域が生じることがある。透光性の高い風船等を型材２として採用することで、光を照射して繭糸層９４の厚さを確認することもできる。取付具２１１を取り付けた場所など、繭糸層９４がどうしても薄くなることがあるが、造形物１の完成前に取付具２１１を取り外して型材２の回転を止め、取付具２１１のあった場所に多くの蚕４を配置して繭糸層９４の厚さを調整することもできる。
【００１８】
（４）後工程
[型材の取り出し]
型材２を取り出さないまま、完成した造形物１とすることもできるが、型材２を取り出して完成した造形物１とすることもできる。
図３は造形物１から型材２を取り出す説明図である。造形物１に小さな孔１１を開け、型材２として使用した風船の空気を抜く。しぼんだ風船（型材２）を取り出し、孔１１から造形物１の内部にランプなどを配置することができる。足場材２３を使用した場合は、足場材２３を残したままとしてもよいし、足場材２３を剥がして完成した造形物１とすることも可能である。
また、繭糸層９４を厚く形成すれば、内部にフレーム等で補強しなくても形が崩れることはない。造形物１の内部にフレーム等の補強材を設けたいときは、型材２をフレームで作り、表面に足場材２３を貼り付け、型材２を取り出さずに造形物１とすることもできる。
【００１９】
[染色]
完成した造形物１を染色することで、意匠的効果を高めることができる。
【００２０】
（実施例の変形例）
[蚕の品種]  
蚕４は、様々な品種（variety）がある。中でも、黄色、赤色、緑色などの繭糸９を吐く品種もある。これは、蚕４が食べる桑に含まれるカロチノイドやフラボノイドが色素として繭糸に取り込まれるためである。
様々な色の繭糸９を出す蚕４の品種を使うことにより、完成した造形物１に多様な変化を加え、付加価値を高めることもできる。例えば、複数色の繭糸９が混在した繭糸層９４を有する造形物１とすると、品種の混合具合により色が場所により微妙に変化した造形物１が作れる。また、意図的に品種を分けた領域を作ることで、部分的に色の違う造形物１が作れる。例えば、マスキングテープを利用して領域を分けて品種の異なる蚕４を配置するなどして、色の領域が明確に分かれた造形物１を作ることも可能である。
また、赤色の繭糸層９４の上に黄色の繭糸層９４を重ねるなどすることもできる。
【００２１】
[使用目的]
本発明の製造方法で作られた造形物１は様々な目的で使える。例えば、アクセサリ、インテリア、玩具などがあげられる。人の上半身を模した型材２を使い、継ぎ目のない服を作ることにも使える。さらに、巨大な型材２を用い、造形物１を内部に人が入る瞑想空間として利用することもできる。造形物１の内部にランプを入れ、天然の繭糸層９４を通してほのかなランプの光が透過するランプセードとして使うことができる。本発明の造形物１は、継ぎ目や縫い目がない。従来のランプセードは、ランプの光で継ぎ目や縫い目が目立つことがあるが、本発明の造形物１では、継ぎ目や縫い目がないため意匠的に優れたものとなる。
【００２２】
以上、本発明に係る実施例を、図面を参照して詳述してきたが、具体的な構成は、これらの実施の形態に限られるものではなく、本発明の要旨を逸脱しない範囲の設計の変更等があっても本発明に含まれる。
また、前述の実施例や変形例は、その目的および構成等に特に矛盾や問題がない限り、互いの技術を流用して組み合わせることが可能である。
【符号の説明】
【００２３】
１        造形物
１１      孔
２        型材
２１      回転軸
２１１    取付具
２１１１  取付板
２１１２  リング
２１２    第１回転軸
２１３    第２回転軸
２２      重心
２３      足場材
３        支持材
４        蚕
９        繭糸
９１      セリシン
９３      フィブロイン繊維
９４      繭糸層
【要約】      （修正有）【課題】つなぎ目や縫い目のないシームレスな繭糸層を有する造形物の製造方法を提供する。【解決手段】型材２を用意する工程、前記型材２の回転軸２１を決める工程、次いで、前記回転軸２１の両端にそれぞれ支持材３を取り付けて、前記型材２を回転自在に支持する工程、次いで、熟蚕期の蚕４を前記型材２に這わせ、前記型材２の表面に繭糸を吐かせる工程、次いで、前記型材２の表面に対する前記蚕４の移動に伴う重心の位置変化により前記型材２を自発的に回転させる工程、を含む造形物の製造方法。【選択図】図２【図１】
0006842730.tif 000002
【図２】
0006842730.tif 000003
【図３】
0006842730.tif 000004